(57)【要約】【課題】集合住宅等の建築物において、床高を抑えつつ、特に重量床衝撃音に対する高い遮音性を持った、施工性のよい床受け部材および二重床を提供する。【解決手段】  複数の防振材１６によって建物の床版１４上に支持されている板材１８の上に重量ボード２０、２２が積層され、その上に床材２９が載置されている。そして、防振材１６と板材１８の間に設けられた高さ調整手段によって板材１８を昇降させ、レベルとすることができる。よって、床材２９の下に設けられた重量ボード２０、２２の付加荷重が床版１４にかかるので、床高を抑えつつ、特に重量床衝撃音の遮音性が向上する。【選択図】図３
2007107209.tif 000002
【特許請求の範囲】
【請求項１】
建物の床版に配置され、床材を支持して二重床構造とする床受け部材であって、
前記床材が載置される重量ボードと、
積層された前記重量ボードが載置される板材と、
前記床版に置かれ前記板材を該床版から浮かして支持する複数の防振材と、
前記防振材と前記板材の間に設けられ、旋回させることで該板材を昇降させる高さ調整手段と、
を有し、
前記重量ボードが前記板材にビス止め可能とされ、かつ前記床材が前記重量ボードにビス止め可能とされることを特徴とする床受け部材。
【請求項２】
前記板材がパーチクルボードであり、
前記重量ボードが、比重が１〜４のアスファルト系の高分子素材で成形された制振ボード、比重が１〜４のゴム系の高分子素材で成形された制振ボード、又は比重が１〜４の石膏ボードであることを特徴とする請求項１に記載の床受け部材。
【請求項３】
前記板材の下面に複数の肉抜部を設け、この肉抜部分を前記防振材で支持することを特徴とする請求項１又は請求項２に記載の床受け部材。
【請求項４】
請求項１〜請求項３の何れかの床受け部材を配管可能な間隔をおいて床版上に配置し、前記重量ボードの上に前記床材を敷き並べたことを特徴とする二重床。
【請求項５】
前記床材が、前記重量ボードにビス止めされる補強板と、前記補強板の上に敷き並べられるフローリングと、
で構成されていることを特徴とする請求項４に記載の二重床。
【発明の詳細な説明】
【技術分野】
【０００１】
本発明は、集合住宅等の建築物において、上階から下階へ伝わる床衝撃音の遮音性を向上させた床受け部材および二重床に関する。
【背景技術】
【０００２】
集合住宅等の建築物では、床下の配管スペースを確保しつつ、上階から下階へ伝わる床衝撃音を低減するために、一般に遮音二重床構造が用いられている。
【０００３】
乾式の二重床構造としては、図９に示すような、パネルボード８０が複数の支持脚８２で躯体床８４上に支持されたものがある。支持脚８２の下端にはクッションゴム８６が取り付けられている。
【０００４】
また、特許文献１の置床構造は、図１０に示すように、パネル体８８は、上材９０と下材９２の間に薄肉の制振材９４が挟まれた構造になっており、さらに、このパネル体８８の上面には厚肉の制振材９６を介して、木質仕上材９８が敷設されている。また、パネル体８８を支持する支持体１００の下端には半球状の防振ゴム１０２が取り付けられている。
【０００５】
しかし、これら従来例において遮音性を向上させるために、クッションゴム、防振ゴムや制振材をさらに柔らかくしてしまうと、二重床上に家具等が載ったときの沈み込みが大きくなり、歩行感が損なわれ、歩行時に家具等が揺れてがたつき音を発生するといった問題が生じる。
【０００６】
また、床に物を落としたときに発生する音は、高音の軽量床衝撃音と低音の重量床衝撃音に分けられるが、重量床衝撃音の遮音性を向上させるためには、支持脚や支持体が支持する重量を重くすることが効果的である。しかし、先の従来例において、配管のための床下空間を確保しつつ重量を重くするには、ボード等をさらに載せたり、制振材の厚みを増やす必要があり、床高が高くなってしまい、広い居住空間を確保できなくなってしまう。
【０００７】
特許文献２では、図１１に示すように、支持脚１０４の下端に設けた緩衝体１０６の平均荷重たわみ特性を１２７Ｎ／mm以下、床下地パネル１０８と仕上材１１０の間に設けた制振材料１１２の密度を２．３〜３．３ｇ／cm3、厚さを６〜１５mmと規定して重量床衝撃音に対する遮音性を向上させているが、設計上の制約が多く、材料選定等の自由度が限られてしまう。
【０００８】
湿式の二重床構造としては、図１２に示すような、躯体床１１４上に置かれた防振材１１６が床版１１８を支持するものがある（特許文献３）。床版１１８に設けられた貫通孔１２０の内周にネジ１２２が形成されており、このネジ１２２に螺合された押さえ板１２４を防振材１１６が支持している。防振材１１６によって、重量床衝撃音を吸収し、床高を低くできる構造である。
【０００９】
しかし、現地でコンクリート打設し、床版１１８を造る必要があり、プレキャストコンクリートを用いた場合でも、かなりの重量物となる床版１１８の揚重作業が必要となるので、施工性が悪い。また床下に配管を設けた場合、配管のための開口部がないので、そのメンテナンスが困難である。湿式の二重床構造は、このような理由から、特に遮音性が重視される特殊な用途（エアロビクスの運動施設、スタジオ、ホール等）に用いられるのが一般的であり、集合住宅等には適さない。
【００１０】
特許文献４の乾式浮床構造は、図１３に示すように、複数の緩衝材１２６がスラブ１２８上に間隔を設けて配設されており、この緩衝材１２６の上にパネル結合板１３０を介して浮床パネル１３２が敷設されている。緩衝材１２６を置くだけなので施工性がよく、間隔を設けることにより配管スペースも確保され、そのメンテナンスも容易である。
【００１１】
しかし、緩衝材１２６は軽いので、先に述べた乾式の二重床構造と同様に、重量床衝撃音に対する遮音性を向上させるためには、ボード等を浮床パネル上に追加したり、パネル結合板１３０の厚みを増やす必要があり、それによって床高が高くなり、広い居住空間を確保できなくなってしまう。また、高さ調整ができないので、浮床パネル１３２を傾きなく敷き詰めることが難しい。
【特許文献１】特開昭６２−２５８０５４号公報
【特許文献２】特開２００１−３１１２９７号公報
【特許文献３】特開２００２−１４７００７号公報
【特許文献４】特開平９−６０２７３号公報
【発明の開示】
【発明が解決しようとする課題】
【００１２】
本発明は係る事実を考慮し、集合住宅等の建築物において、床高を抑えつつ、特に重量床衝撃音に対する高い遮音性を持った、施工性のよい床受け部材および二重床を提供することを課題とする。
【課題を解決するための手段】
【００１３】
請求項１に記載の発明は、建物の床版に配置され、床材を支持して二重床構造とする床受け部材であって、前記床材が載置される重量ボードと、積層された前記重量ボードが載置される板材と、前記床版に置かれ前記板材を該床版から浮かして支持する複数の防振材と、前記防振材と前記板材の間に設けられ、旋回させることで該板材を昇降させる高さ調整手段と、を有し、前記重量ボードが前記板材にビス止め可能とされ、かつ前記床材が前記重量ボードにビス止め可能とされることを特徴としている。
【００１４】
請求項１に記載の発明では、板材が複数の防振材によって建物の床版から浮くように支持されている。そして、板材の上に重量ボードが積層され、その上に床材が載置されている。防振材と板材の間には高さ調整手段が設けられており、この高さ調整手段を旋回させることによって板材を昇降させることができる。また、重量ボードが板材にビス止め可能であり、かつ床材が重量ボードにビス止め可能である。
【００１５】
よって、床材の下に設けられた重量ボードの付加荷重が床版にかかるので、床高を抑えつつ、特に重量床衝撃音の遮音性が向上する。また、防振材を柔らかくせずに高い遮音性が得られるので、床材の沈み込みがなく、良好な歩行感が得られ、歩行時に家具等が揺れてがたつき音を発生することもない。
【００１６】
さらに、高さ調整手段で板材の上面をレベルとすることで、重量ボード及び床材を傾きなく敷き詰めることができる。
【００１７】
また、床受け部材には、ボード材を用いているので、現地でのコンクリート打設や、重機等による運搬作業は不要であり、重量ボードと板材を床版に敷き並べるだけなので、施工性がよく、施工労力を大幅に減らすことができる。また、レイアウト変更も、床材を外すだけで容易に行うことができる。
【００１８】
さらに、積層構造により各部材が密着して面支持されているので、床材の振動が抑制される。また、部材間には空間が形成されない。これによって、部材間の空間に発生する共鳴が防止され、重量床衝撃音の決定周波数となる６３Ｈｚ帯域の床衝撃音を低減することができる。
【００１９】
また、重量ボードや床材がビス止め可能なので、部材同士を接着剤で接着しなくてよい。これによって、接着剤が乾燥するまでの養生期間が不要となり工期短縮を図ることができる。また、完全に接着できなかった場合に、部材間に形成される隙間の上を人が歩いたときに発生する音の問題が生じることもない。
【００２０】
請求項２に記載の発明は、前記板材がパーチクルボードであり、前記重量ボードが、比重が１〜４のアスファルト系の高分子素材で成形された制振ボード、比重が１〜４のゴム系の高分子素材で成形された制振ボード、又は比重が１〜４の石膏ボードであることを特徴としている。
【００２１】
請求項２に記載の発明では、板材に、パーチクルボードを用いることによって、板材に載置される部材重量及び床材にかかる荷重を支える剛性を確保できる。また、重量ボードに、比重が１〜４のアスファルト系の高分子素材で成形された制振ボード、比重が１〜４のゴム系の高分子素材で成形された制振ボード、又は比重が１〜４の石膏ボードの密度の大きい材料を用いることによって、板厚を厚くせずに大きな付加荷重を床版にかけることができる。
【００２２】
請求項３に記載の発明は、前記板材の下面に複数の肉抜部を設け、この肉抜部分を前記防振材で支持することを特徴としている。
【００２３】
請求項３に記載の発明では、板材の下面に複数の肉抜部を設け、この肉抜部にできたスペースに防振材を設けて板材を支持している。
【００２４】
これにより、重量を増加させるために板材の厚さを増加させても、床高を抑えることができる。また、板材と床版の間の空間を小さくできるので、共鳴による床衝撃音の増幅を抑えることができる。
【００２５】
請求項４に記載の発明は、請求項１〜請求項３の何れかの床受け部材を配管可能な間隔をおいて床版上に配置し、前記重量ボードの上に前記床材を敷き並べたことを特徴としている。
【００２６】
請求項４に記載の発明では、配管可能な間隔をおいて、床受け部材を床版上に置き、この上に床材を敷き並べている。
【００２７】
これにより、床受け部材の下に配管スペースを確保する必要がないので、床高を抑えることができる。
【００２８】
請求項５に記載の発明は、前記床材が、前記重量ボードにビス止めされる補強板と、前記補強板の上に敷き並べられるフローリングと、で構成されていることを特徴としている。
【００２９】
請求項５に記載の発明では、床材が補強板と補強板の上に敷き並べられるフローリングとで構成されている。そして、補強板は重量ボードにビス止めされている。よって、床材の撓みが防止でき、平らなフローリング面を確保することができる。
【発明の効果】
【００３０】
本発明は上記構成としたので、集合住宅等の建築物において、床高を抑えつつ、特に重量床衝撃音に対する高い遮音性が得られ、施工性もよい。
【発明を実施するための最良の形態】
【００３１】
図面を参照しながら、ＲＣ造の集合住宅における床受け部材および二重床を説明する。なお、本実施形態では、ＲＣ造の集合住宅の例を説明するが、あらゆる新築および改修建物への適用が可能である。
【００３２】
図１〜３には、本発明の実施形態の床受け部材１０および二重床１２が示されている。
【００３３】
外縁付近に複数の円盤状の防振ゴム１６が設けられたパーチクルボード１８が、板材として、コンクリートスラブ１４上に置かれている。また、パーチクルボード１８上に、重量ボードとして、制振ボード２０、２２がこの順に積層されている。さらに、制振ボード２２の上に、床材２９として、パーチクルボード２４、制振ボード２６、フローリング２８が、この順に載置されている。例えば、パーチクルボード１８は、縦１８００mm、横４５０mm、厚さ１２mmのものを用い、制振ボード２０、２２は、縦１８００mm、横４５０mm、厚さ１０mmのものを用いることができる。
【００３４】
また、パーチクルボードや制振ボードは、ビス４２によって止められている。本実施形態ではビス４２を用いたが、部材を載置するだけでもよく、釘、アンカー等により固定してもよい。また、接着剤を用いて各部材を全面固定したり、ビスと接着剤を併用して接着強度を上げてもよい。
【００３５】
防振ゴム１６上には支持部材３０が設けられている。支持部材３０の下部には円盤状の台座３２があり、この台座３２は、中心から立設したボルト部３４と一体化している。ボルト部３４の上部には、雄ネジ３６が形成されており、パーチクルボード１８の貫通孔３８に設けられた雌ネジ４０と螺合することにより、支持部材３０が、防振ゴム１６を介してコンクリートスラブ１４上にパーチクルボード１８を支持する。
【００３６】
台座３２の底面には、防振ゴム１６を覆う凹みが形成されている。防振ゴム１６の上側の径は、下側よりも少し大きくなっており、この上側の外周部が引っ掛かるように、台座３２の底部には爪４４が全周に渡って内側に張り出している。よって、支持部材３０を持ち上げても、防振ゴム１６が外れて落ちることはない。
【００３７】
また、防振ゴム１６と台座３２の間には、摺動材４６が設けられているので、支持部材３０から防振ゴム１６に鉛直荷重がかかったときにも、容易に台座３２のみが旋回できる構造になっている。よって、ボルト部３４の頂部にあるネジ溝４８をドライバーや六角レンチ等で回すことにより、パーチクルボード１８を昇降させることができる。
【００３８】
なお、パーチクルボード１８、２４、制振ボード２０、２２、２６の部材同士を並べる際は、１〜２cm程度の隙間を空けて配置する。これによって、部材同士がこすり合わされて発生する音を防ぐことができる。
【００３９】
また、支持部材３０は、図４に示すように、厚みのあるパーチクルボード１８の下面を肉抜し、この肉抜部にできるスペースに設けてもよい。
【００４０】
次に、二重床の施工手順について説明する。
【００４１】
図５の（Ａ）に示すように、支持部材３０が取り付けられているパーチクルボード１８を、配管５０の敷設が可能な間隔をおいて、コンクリートスラブ１４上に配置する。そして、パーチクルボード１８を配置した後に、ボルト部３４の頂部にあるネジ溝４８をドライバや六角レンチ等で回して、パーチクルボード１８を昇降させ、パーチクルボード１８上面のレベルを合わせる。
【００４２】
図６は、１枚のパーチクルボード１８を下面から見た図であり、このように支持部材３０が等間隔で複数個配置されている。支持部材３０の配置及び数量は、パーチクルボード１８の剛性とパーチクルボード１８にかかる荷重を踏まえて、適宜決める。
【００４３】
また、パーチクルボード１８のレイアウトは自由であり、配管５０の配置によって、例えば図７に示すようにＴ字状のスペースを形成するように配置してもよい。
【００４４】
次に、図５の（Ｂ）に示すように、パーチクルボード１８上面に制振ボード２０を敷き並べる。このとき、制振ボード２０は、配置されたパーチクルボード１８同士の隙間にラップするように並べることが望ましい。
【００４５】
次に、図５の（Ｃ）に示すように、制振ボード２０上面に制振ボード２２を敷き並べる。このとき、制振ボード２２は、並べられた制振ボード２０同士の隙間にラップするように並べることが望ましい。
そして、ビス４２により、パーチクルボード１８、制振ボード２０、２２を一体化する（図２）。
【００４６】
次に、図５の（Ｄ）に示すように、制振ボード２２上面にパーチクルボード２４を敷き並べる。このとき、パーチクルボード２４は、並べられた制振ボード２２同士の隙間にラップするように並べることが望ましい。
【００４７】
次に、図５の（Ｅ）に示すように、パーチクルボード２４上面に制振ボード２６を敷き並べる。このとき、制振ボード２６は、並べられたパーチクルボード２４同士の隙間にラップするように並べることが望ましい。
そして、ビス４２により、制振ボード２２、パーチクルボード２４、制振ボード２６を一体化し、これによって、パーチクルボード１８、２４、制振ボード２０、２２、２６のすべてが一体化される（図２）。
【００４８】
最後に、図５の（Ｆ）に示すように、制振ボード２６上にフローリング２８を敷設する。
【００４９】
本発明の実施形態において、防振材として、防振ゴム１６の例を示したが、支持する荷重、遮音性、衝撃緩衝性、歩行感などを考慮し、コイルスプリング、空気バネ等の部材を用いてもよい。また、防振ゴム１６の形状を多角柱にしてもよいが、荷重が均等にかかる点で、円盤状のものが最も適している。なお、ゴムの種類としては、通常のゴムに加え、低反発ゴム、高減衰ゴム、高分子系材料（エラストマー、発泡ウレタン等）等が挙げられる。また、配置する全ての防振材を同じ材料とする必要はなく、例えば、家具等が置かれる可能性が高い部屋の隅などには、より硬い材料を用いるなどの工夫を施してもよい。
【００５０】
また、板材として、パーチクルボード１８の例を示したが、パーチクルボード１８に載置される部材重量及び床材２９にかかる荷重を支えられるだけの剛性を有するものであればよく、支持部材３０の配置間隔を考慮し、厚みを変更したり、合板等を用いてもよい。
【００５１】
また、重量ボードとして、制振ボード２０、２２の例を示したが、大きな付加荷重をコンクリートスラブ１４にかけることができる部材であればよく、比重が１〜４の高分子素材で成形されたアスファルト系やゴム系のボード、比重が１〜４の石膏ボード、コンクリート板、金属系素材（鉄、鉛等）等が挙げられる。また、目標とする遮音性能や床高を考慮し、使用する材料や厚さを決めればよい。
【００５２】
また、補強材として、パーチクルボード２４の例を示したが、配管スペース上をパーチクルボード２４が橋渡された状態において、このパーチクルボード２４上に載置された制振ボード２６、フローリング２８の重量及び床材２９にかかる荷重に対する剛性を有するものでればよい。また、パーチクルボード１８の配置間隔によって、パーチクルボード２４の厚みを変更したり、合板等を用いてもよい。
【００５３】
また、床材２９として、制振ボード２６の例を示したが、制振ボード２６の下方に形成される配管スペースに生じる共振音を防ぐことができる材料であることが望ましく、制振ボード２０、２２と同様の材料が適している。また、床高をさらに低くしたい場合には、制振ボード２６を薄くしたり、なくしてもよい。
【００５４】
また、これまで説明したボード材の大きさやレイアウトは、配管、床高、使用材料及び目標とする遮音性能等に応じて適宜決めればよい。さらに、ボード材は一枚毎に積み重ねても、積み重ねた状態のものをまとめて載置してもよい。
【００５５】
また、本実施形態において、ビス止めは、制振ボード２２と制振ボード２６の上から行ったが、これに限るものではなく、ボード材を一枚積み重ねる毎に行ってもよいし、数枚まとめて行ってもよい。
【００５６】
また、フローリング２８は、集合住宅においては、一般的な表面仕上げ材を用いることが望ましいが、ビニル系仕上げ材等の材料でもよい。また、集合住宅のリビングなどには床暖房システムが組み込まれることが多いが、本発明の床材のどの層に床暖房システムを配置してもよい。図８に示すように、床暖房システム５２をフローリング２８の下層に設け、その分の厚さを減らすために、制振ボード２０の配置をパーチクルボード１８の下面に設けることもできる。
【００５７】
また、摺動材４６は、防振ゴム１６と台座３２の間の摩擦抵抗を低くするものであればよい。
【００５８】
次に、本実施形態に係る床受け部材および二重床の作用及び効果を説明する。
【００５９】
本発明の実施形態では、床材２９の下に設けられた制振ボード２０、２２の付加荷重がコンクリートスラブ１４にかかるので、床高を抑えつつ、特に重量床衝撃音の遮音性が向上する。また、防振ゴム１６を柔らかくせずに高い遮音性が得られるので、床材２９の沈み込みがなく、良好な歩行感が得られ、歩行時に家具等が揺れてがたつき音を発生することもない。
【００６０】
さらに、支持部材３０を旋回し、パーチクルボード１８を昇降させ、パーチクルボード１８の上面をレベルとすることで、制振ボード２０、２２、２６、パーチクルボード２４を傾きなく敷き詰めることができ、水平なフローリング２８面を確保できる。
【００６１】
また、一般的な二重床と同様な部材を用いているので、現地でのコンクリート打設や、重機等による運搬作業は不要であり、制振ボード２０、２２とパーチクルボード１８をコンクリートスラブ１４に敷き並べるだけなので、施工性がよく、施工労力を大幅に減らすことができる。また、レイアウト変更も、床材２９を外すだけで容易に行うことができる。
【００６２】
さらに、積層構造により各部材が密着して面支持されているので、床材２９の振動が抑制される。また、部材間には空間が形成されない。これによって、部材間の空間に発生する共鳴が防止され、重量床衝撃音の決定周波数となる６３Ｈｚ帯域の床衝撃音を低減することができる。
【００６３】
また、各部材はビス止め可能なので、部材同士を接着剤で接着しなくてよい。これによって、接着剤が乾燥するまでの養生期間が不要なので工期短縮を図ることができる。また、完全に接着できなかった場合に、部材間に形成される隙間の上を人が歩いたときに発生する音の問題が生じることもない。
【００６４】
また、板材に、パーチクルボード１８を用いることによって、パーチクルボード１８に載置される部材重量及び床材２９にかかる荷重を支えられるだけの剛性を確保し、撓むことがない。
【００６５】
また、図４に示すように、パーチクルボード１８の下面を肉抜とし、この肉抜部にできたスペースに支持部材３０を設けることにより、重量を増加させるためにパーチクルボード１８の厚さを増加させても、床高を抑えることができる。また、パーチクルボード１８とコンクリートスラブ１４の間の空間を小さくできるので、共鳴による床衝撃音の増幅を抑えることができる。
【００６６】
また、パーチクルボード１８を配管５０の敷設が可能な間隔をおいてコンクリートスラブ１４上に配置しているので、パーチクルボード１８の下に配管スペースを確保する必要がなく、床高を抑えることができる。
【００６７】
また、この配管スペースの上方にも、制振ボード２６が設けられているので、配管スペースに生じる共振音を防ぎ、この付加荷重もコンクリートスラブ１４にかけることができる。
【００６８】
制振ボード２６の下面には、補強板となるパーチクルボード２４が設けられているので、制振ボード２６が撓むことを防止し、平らなフローリング２８面を確保することができる。
【図面の簡単な説明】
【００６９】
【図１】本発明の実施形態に係る床受け部材および二重床を示す説明図である。
【図２】本発明の実施形態に係る床受け部材および二重床を示す断面図である。
【図３】本発明の実施形態に係る床受け部材および二重床を示す断面図である。
【図４】本発明の実施形態に係る床受け部材および二重床を示す断面図である。
【図５】本発明の実施形態に係る床受け部材および二重床の施工手順を示す説明図である。
【図６】本発明の実施形態に係る板材の下面から見た平面図である。
【図７】本発明の実施形態に係る床受け部材の配置を示す説明図である。
【図８】本発明の実施形態に係る床受け部材および二重床を示す断面図である。
【図９】従来の二重床の構成を示す概略図である。
【図１０】従来の二重床の構成を示す概略図である。
【図１１】従来の二重床の構成を示す概略図である。
【図１２】従来の二重床の構成を示す概略図である。
【図１３】従来の二重床の構成を示す概略図である。
【符号の説明】
【００７０】
１０  床受け部材
１２  二重床
１４  コンクリートスラブ（床版）
１６  防振ゴム（防振材）
１８  パーチクルボード（板材）
２０  制振ボード（重量ボード）
２２  制振ボード（重量ボード）
２４  パーチクルボード（補強材、床材）
２６  制振ボード（床材）
２８  フローリング（床材）
２９  床材
３０  支持部材（高さ調整手段）
３６  雄ネジ（高さ調整手段）
４０  雌ネジ（高さ調整手段）
【図１】
2007107209.tif 000003
【図２】
2007107209.tif 000004
【図３】
2007107209.tif 000005
【図４】
2007107209.tif 000006
【図５】
2007107209.tif 000007
【図６】
2007107209.tif 000008
【図７】
2007107209.tif 000009
【図８】
2007107209.tif 000010
【図９】
2007107209.tif 000011
【図１０】
2007107209.tif 000012
【図１１】
2007107209.tif 000013
【図１２】
2007107209.tif 000014
【図１３】
2007107209.tif 000015